(57)【要約】【課題】洗車場の床面を滑りにくくすることを目的とする。【解決手段】本発明の洗車機は、洗車場の床面２上を往復動する門型の洗車機３と、該床面に２載置される、貫通した複数の開口部６を有する合成樹脂製の床板５とよりなることを特徴する。【選択図】図１
2018001856.tif 000002
【特許請求の範囲】
【請求項１】
洗車場の床面に載置される、貫通した複数の開口部を有する合成樹脂製の床板からなることを特徴とする洗車場用の床板。
【請求項２】
前記洗車場は、床面上を往復動する門型の洗車機を有することを特徴とする請求項１に記載の洗車場用の床板。
【請求項３】
前記床板は、格子状からなることを特徴とする請求項１または２に記載の洗車場用の床板。
【請求項４】
前記床板の各開口部内の下部に補強用の格子部を更に形成したことを特徴とする請求項３に記載の洗車場用の床板。
【請求項５】
洗車場の床面上を往復動する門型の洗車機と、
該床面に載置される、貫通した複数の開口部を有する合成樹脂製の床板とよりなることを特徴する洗車機。
【発明の詳細な説明】
【技術分野】
【０００１】
本発明は洗車場用の床板及び洗車機、特に門型洗車機を有する洗車場の床面上に設置される床板及びこの床板を有する洗車機に関するものである。
【背景技術】
【０００２】
図１１は、従来の移動式の門型洗車機を示し、ａは、洗車場の床面、ｂ、ｂは、前記床面ａ上に並設されたレール、ｃは、前記レールｂ、ｂ上を移動する門型の洗車機であり、該洗車機ｃは、内面が開口し、その内側部に洗浄用の回転ブラシｄが設けられている。
【０００３】
そして、前記レールｂ、ｂ間の中間で、前記門型洗車機ｃの正面に、車両ｅを停めて、前記門型洗車機ｃを前記レールｂ、ｂに沿って往復動させると共に、前記回転ブラシｄを回転させて、前記門型洗車機ｃの内側に車両ｅを通すことにより、該車両ｅを洗浄することができるようになる。
【０００４】
前記従来の移動式の門型洗車機としては、例えば、特許文献１がある。
【先行技術文献】
【特許文献】
【０００５】
【特許文献１】特開平９−３０３７７号公報
【発明の概要】
【発明が解決しようとする課題】
【０００６】
しかしながら、前記従来の洗車場の床面ａは、コンクリート製、或いは、鉄板などで形成されていたため、該床面ａが水で濡れている場合に、前記レールｂ、ｂ間に停止した車両に人が乗り降りする時などに、人が滑ってしまう可能性があり、危険性があった。
【０００７】
また、作業者等の靴底に水が付き、車両に乗り込む際、車両を水で濡らしてしまうこともあった。
【０００８】
本発明は、上記の問題点を解決することを目的とする。
【課題を解決するための手段】
【０００９】
本発明の洗車場用の床板は、前記の目的を達成すべく、洗車場の床面に載置される、貫通した複数の開口部を有する合成樹脂製の床板からなることを特徴とする。また、本発明の洗車機は、洗車場の床面上を往復動する門型の洗車機と、該床面に載置される、貫通した複数の開口部を有する合成樹脂製の床板とよりなることを特徴する。
【発明の効果】
【００１０】
本発明の洗車場の床板によれば、洗車場内に人が立ち入っても、人が滑りにくくなる。また、車両に水を持ち込まなくなる。
【図面の簡単な説明】
【００１１】
【図１】本発明の洗車機の斜視図である。
【図２】図１のＡ−Ａ線断面図である。
【図３】本発明の床板の平面図である。
【図４】本発明の他の実施例の床板の平面図である。
【図５】本発明の床板の拡大平面図である。
【図６】図５のＢ−Ｂ線断面図である。
【図７】本発明の格子部の拡大正面図である。
【図８】本発明の更に他の実施例の床板の拡大平面図である。
【図９】図８のＣ−Ｃ線断面図である。
【図１０】図８の床板の背面図である。
【図１１】従来の洗車機の斜視図である。
【発明を実施するための形態】
【００１２】
以下、図１〜図１０によって本発明の実施例を説明する。
【実施例１】
【００１３】
図１〜図６は本発明の洗車場用の床板を有する洗車機を示し、１、１は、例えば、コンクリート製の床面２上に並設された左右のレールを示す。なお、該左右のレール１、１は、前記床面２上に突出するものや、前記床面２に埋め込まれたものがある。
【００１４】
３は、前記レール１、１上を移動する門型の洗車機を示し、該洗車機３は、内面が開口し、その内側部に洗浄用の回転ブラシ４が設けられている。そして、前記門型洗車機３を前記レール１、１に沿って往復動させると共に、前記回転ブラシ４を回転させて、前記門型洗車機３の内側に、前記左右のレール１、１の中間に停車した車両（図示せず）を通すことにより、該車両を洗浄することができるようになる。
【００１５】
５は、貫通した複数の開口部６を有する、合成樹脂製（プラスチック製）の矩形板状の床板を示し、該床板５は、図２に示すように、前記左右のレール１、１間の前記床面２に形成した凹部７の略平坦状の底面７ａに載置されると共に、前記床板５と前記底面７ａとがボルト等（図示せず）などにより固定されている。
【００１６】
なお、前記床板５の幅及び長さは、少なくとも、洗浄される車両の幅及び長さよりも大きく形成され、例えば、幅が２．５ｍ、長さが７．５ｍ、厚さは４０ｍｍである。
【００１７】
また、前記床板５は、前記レール１、１間以外に、前記レール１、１の外側や、前記レール１、１よりも前方側又は、後方側に設けてもよい。
【００１８】
また、前記床板５は、図３に示すように、例えば、幅約１ｍ、長さ約２ｍの矩形板状の床板素子８を複数並べて、略矩形状に形成するようにしてもよい。なお、各床板素子８の形状は違っていても良い。
【００１９】
また、図４に示すように、車両に乗り入れする際に人が立ち入らなくてもよい場所２ａ、前記床板５の長手方向に延びる中間部を省略し、両側部分だけの側部５ａ、５ａのみで前記床板５を構成するようにしてもよい。
【００２０】
また、前記合成樹脂としては、特に、車重に耐えられるガラス繊維強化プラスチック（ＧＦＲＰ）などの繊維強化プラスチック（ＦＲＰ）製が好ましい。
【００２１】
また、前記凹部７は、前記床板５と略同形状であり、また、該凹部７の深さは、前記床板５の厚さと略同じ長さであり、該床板５を前記凹部７に嵌め込んだ時に、段差ができないようにして、車両の移動が容易になるようにする。
【００２２】
なお、床面２に凹部７を設けずに、直接、略平坦状の床面２上に前記床板５を載置し、固定するようにしてもよい。
【００２３】
また、前記貫通した複数の開口部６を有する床板５は、例えば、図５及び図６に示すように、格子状に形成された床板５（グレーチング）からなり、各開口部６は、例えば、縦横４０ｍｍ×４００ｍｍで、格子を構成する格子部９の肉厚さは、例えば、７ｍｍである。
【００２４】
また、図７に示すように、前記格子部９の上面９ａを、人等が滑りにくくなるように、凹状又は凸状に形成してもよい。
【００２５】
また、前記格子部９の上面９ａに微細凹凸を設けるようにしてもよい。
【００２６】
また、より排水性を高めるために、各開口部６の開口面積を、その周囲の格子部９の上面の面積に比べて大きくするのが好ましい。
【００２７】
但し、開口部６の開口面積を大きくすると、床板５が車重に耐えられなくなる場合があるため、図８〜図１０に示すように、前記開口部６内の下部に、対向する内側面間を連結する、例えば、十字状の補強格子部１０を設け、車重に耐えるように形成してもよい。かかる構成により、前記床板５の上面からの排水性能を維持しつつ、床板の補強が可能となる。
【００２８】
なお、前記床板５の開口部６の形状は、例えば、長方形、正方形等の矩形状の他、多角形状、円状などがあるが、その形状に特に制限はない。
【００２９】
また、１１は、前記凹部７の底面７ａに形成した排水路を示し、前記底面７ａは、前記排水路１１に向かって若干傾斜し、前記凹部７に流れた水を、前記排水路１１から排水できる。
【００３０】
なお、一般に、前記底面７ａと、前記床板５の下面とは、平面精度よく形成されていないので、あるいは、前記床面７ａは、排水のために若干傾斜しているので、単に、前記底面７ａ上に前記床板５を載置しただけでも、前記底面７ａと床板５の下面との間に、若干の隙間が形成され、前記底面７ａの水は、排水溝１１まで流れるが、必要に応じて、前記床板５の下面に多少凹凸を設けて、より排水性を良くするようにしてもよい。
【００３１】
また、１２は、前記床面２に形成した排水路を示し、前記床面２は、前記排水路１２に向かって若干傾斜し、前記床面２の水を、前記排水路１２から排水できる。
【００３２】
また、１３は、矩形状又は円形状のループ状に形成した位置決め用枠体であり、該枠体１３は、前記床板５上の所望の箇所にボルト等により固定されている。そして、該枠体１３内に、車両の片方の前輪を乗り入れることにより、洗浄される車両の位置決めが可能となり、前記レール１、１の中間の、前記洗車機３の前面に車両を停止させることができるようになる。
【００３３】
次に、本発明の洗車場用の床板の作用と効果を説明する。
【００３４】
洗車機による水は、前記床板５の開口部６内に流れ、前記凹部７の底面７ａに到達し、前記底面７ａの傾斜により、前記床板５と底面７ａとの隙間を通って、排水溝１１まで導かれて、排水される。
【００３５】
従って、前記床板５上に水が溜まらないと共に、床板５は合成樹脂製でてきており、人が滑りにくくなる。
【００３６】
また、前記底面７ａに当たった洗車機からの水は、跳ねても、前記格子部９の側面に当たって下方に落ち、前記床板５よりも上方まで、跳ねる水が少なくなる。
【産業上の利用可能性】
【００３７】
本発明の洗車場の床板は、ディーラーや、整備工場等に用いられる。
【符号の説明】
【００３８】
１      レール
２      床面
２ａ    場所
３      洗車機
４      回転ブラシ
５      床板
５ａ    側部
６      開口部
７      凹部
７ａ    底面
８      床板素子
９      格子部
９ａ    上面
１０    補強格子部
１１    排水溝
１２    排水溝
１３    枠体
【図１】
2018001856.tif 000003
【図２】
2018001856.tif 000004
【図３】
2018001856.tif 000005
【図４】
2018001856.tif 000006
【図５】
2018001856.tif 000007
【図６】
2018001856.tif 000008
【図７】
2018001856.tif 000009
【図８】
2018001856.tif 000010
【図９】
2018001856.tif 000011
【図１０】
2018001856.tif 000012
【図１１】
2018001856.tif 000013